(57)【要約】【課題】個人の身体状況がバラバラであっても、確実に使用者をサポートすることのできる手摺りを提供する。【解決手段】洗面器上面の左右両側で前後方向に配設された主体部３，３と、左右の主体部３，３どうしに跨がって連結されるサポート部２１と、前記主体部３，３とサポート部２１との間に配設され、サポート部２１を脱着自在に主体部３，３へ取り付けることのできるジョイント部５とで洗面器Ｓへ取り付けるための手摺り１を構成する。  主体部３，３に対してサポート部２１をジョイント部５を介して脱着自在としたので、老人や身体障害者等が車椅子から立ち上がった状態で、サポート部２１に身体をあずけ、体重のかかる部分（ベルト付近の位置で身体を二つ折りにできるような部分等）を安定して支持することができ、使用者は安心して両手を用いて洗面を行うことができる。【選択図】  図１
2005253564.tif 000002
【特許請求の範囲】
【請求項１】
洗面器に付設される手摺りにおいて、洗面器上面の左右両側で前後方向に配設された主体部と、左右の主体部どうしに跨がって連結されるサポート部と、前記主体部とサポート部との間に配設され、サポート部を脱着自在に主体部へ取り付けることのできるジョイント部とで構成したことを特徴とする洗面器取付用の手摺り。
【請求項２】
サポート部は洗面器の手前側で左右方向に横切って配設されている請求項１に記載の洗面器取付用の手摺り。
【請求項３】
左右の各主体部に、サポート部の両端部の各端部を接合できるようにした請求項２に記載の洗面器取付用の手摺り。
【請求項４】
主体部は、前後方向に伸びる水平部と、水平部の手前側の端部から下方へ曲がるベンド部とを有し、ベンド部の下端にジョイント部が取り付けられる請求項１〜３のいずれかに記載の洗面器取付用の手摺り。
【請求項５】
主体部は、水平部とベンド部とが脱着自在である請求項４に記載の洗面器取付用の手摺り。
【請求項６】
ジョイント部は、一方側が二股片を有し、他方側が該二股片の間に嵌合装着される突出片を有し、二股片と突出片とがボルトで連結される請求項１〜５のいずれかに記載の洗面器取付用の手摺り。
【発明の詳細な説明】
【技術分野】
【０００１】
本発明は、老人や身体障害者などの身体の不自由な人が洗面器を使用するに際し、洗面器側に取り付けた手摺りで身体の一部を支えてサポートするようにした洗面器取付用の手摺りに関するものである。
【背景技術】
【０００２】
身体の不自由な人達が洗面器を使用するに際し、身体の一部を支えてサポートする技術として、特許文献１及び特許文献２に記載されたものがある。
特許文献１に記載された従来技術は、洗面化粧台のカウンターの前面に手摺りを出し入れ自在に嵌合装着し、洗面器の使用時には手摺りをカウンターから引き出してこれを把持しながら洗面を行うことで、車椅子使用者であっても安心して洗面器の使用ができるようにサポートしている。また不使用時あっては、手摺りをカウンター内へ押し込んで仕舞うことにより、通行等の邪魔にならないようにし、また健常者が通常の洗面器の使用を行えるようにしている。
【０００３】
また特許文献２に記載された従来技術にあっては、壁面へ取り付けられた洗面器固定用のブラケットに、ブラケットの強度を補強する補強板部を取り付け、更に該補強板部にカウンターの前面側へ突出する手摺り部を設けている。手摺り部は、カウンター前面の下方から手前側へ水平に突出する水平部と、該水平部から連続して上方へ湾曲し、更にカウンター側へ向けてＵ字状に湾曲した握り部とで構成されている。手摺り取付用の補強板部がブラケットの補強を行うので、別途にブラケットの補強を行う必要がないという利点を有している。
【特許文献１】実開平５−７０３７４号公報
【特許文献２】特開平１１−４７００９号公報
【発明の開示】
【発明が解決しようとする課題】
【０００４】
ところが、前記特許文献１及び２に記載された従来技術にあっては、車椅子使用者が洗面するに際し、手摺りを握って起立することができるが、洗面動作は片手で行うか又は手摺りから手を離して両手で洗うかしなければならない。片手で洗う場合は、自由になるのが片手のみであることと、身体を捻った姿勢で行わなければならず、洗面がし難く、不十分な洗面になるという欠点があった。
【０００５】
また手摺りから手を離して両手で洗う場合は、身体を確実にサポートするものがなく、危険であった。そのため、両手で洗面する場合は、洗面器の前面側に寄り掛かって使用したりしていたが、身体状況が個人によってまちまちであり、身体を確実にサポートできないことがあった。また洗面器の前面側に寄り掛かると、飛散した水が身体にかかり易く、不快感を伴っていた。
【０００６】
本発明は従来の前記課題に鑑みてこれを改良除去したものであって、個人の身体状況がバラバラであっても、確実に使用者をサポートすることのできる手摺りを提供せんとするものである。
【課題を解決するための手段】
【０００７】
而して、前記課題を解決するために本発明が採用した請求項１の手段は、洗面器に付設される手摺りにおいて、洗面器上面の左右両側で前後方向に配設された主体部と、左右の主体部どうしに跨がって連結されるサポート部と、前記主体部とサポート部との間に配設され、サポート部を脱着自在に主体部へ取り付けることのできるジョイント部とで構成したことを特徴とする洗面器取付用の手摺りである。
【０００８】
本発明が採用した請求項２の手段は、サポート部は洗面器の手前側で左右方向に横切って配設されている請求項１に記載の洗面器取付用の手摺りである。
【０００９】
本発明が採用した請求項３の手段は、左右の各主体部に、サポート部の両端部の各端部を接合できるようにした請求項２に記載の洗面器取付用の手摺り。
【００１０】
本発明が採用した請求項４の手段は、主体部は、前後方向に伸びる水平部と、水平部の手前側の端部から下方へ曲がるベンド部とを有し、ベンド部の下端にジョイント部が取り付けられる請求項１〜３のいずれかに記載の洗面器取付用の手摺りである。
【００１１】
本発明が採用した請求項５の手段は、主体部は、水平部とベンド部とが脱着自在である請求項４に記載の洗面器取付用の手摺りである。
【００１２】
本発明が採用した請求項６の手段は、ジョイント部は、一方側が二股片を有し、他方側が該二股片の間に嵌合装着される突出片を有し、二股片と突出片とがボルトで連結される請求項１〜５のいずれかに記載の洗面器取付用の手摺りである。
【発明の効果】
【００１３】
請求項１の発明にあっては、主体部に対してサポート部をジョイント部を介して脱着自在としたので、老人や身体障害者等が車椅子から立ち上がった状態で、サポート部に身体をあずけ、体重のかかる部分（ベルト付近の位置で身体を二つ折りにできるような部分等）を安定して支持することができる。従って、使用者は安心して両手を用いて洗面を行うことができ、介助器具として優れた機能を発揮する。
またサポート部は、ジョイント部を取り外すことにより、容易に取り替えることが可能であり、各人の身体状況に応じて最適なサポート部を準備することができる。
【００１４】
請求項２の発明にあっては、洗面器の左右側に設けた主体部に跨がってサポート部が設けられているので、ワイドに形成でき、支持できる左右方向の領域を大きくでき、使い勝手がよい。
【００１５】
請求項３の発明にあって、サポート部は、左右の主体部に両端部を接合できるようにしており、片持ち支持等ではないので、安定した固定が可能である。
【００１６】
請求項４の発明にあっては、主体部のベンド部は、把手として機能することができ、該ベンド部の下方にサポート部が取り付けられるので、ベンド部を握って立ち上がった姿勢のそのままで身体をサポート部にあずけてこれに安定的に支持させることができ、極めて使い勝手がよい。
【００１７】
請求項５の発明にあっては、主体部の水平部とベンド部とを脱着自在としており、ベンド部の形状及び水平部との連結部分の長さ寸法等を変更することにより、手摺りを更に各人の使い勝手のよいものへ変更することが容易である。
【００１８】
請求項６の発明にあっては、ジョイント部の一方側を二股片とし、他方側を二股片の間に嵌合装着される突出片とし、二股片と突出片とをボルトで連結するようにしたから、ジョイント部に加わる引っ張り荷重、曲げ荷重に対して十分な強度を発揮することができ、手摺りとして安全である。
【発明を実施するための最良の形態】
【００１９】
以下に、本発明の構成を図面に示す発明の実施の形態に基づいて説明すると次の通りである。図１乃至図３は本発明の一実施の形態に係るものであり、図１の図（Ａ）は手摺り１を洗面器Ｓへ取り付けた状態を示す平面図、図（Ｂ）は同正面図、図２は手摺り１を洗面器Ｓへ取り付けた状態を示す側面図である。また図３はジョイント部５を示す断面図である。同図に示す如く、手摺り１は、ステンレス等の鋼管を加工成形したものであり、洗面器Ｓのカウンター２の左右側の上面にそれぞれ配設固定される主体部３，３を有している。各主体部３は、洗面器Ｓの前後方向に伸びる直線状の水平部４と、該水平部４の手前側端部にジョイント部５を介して脱着自在に連結されるベンド部６とを有している。
【００２０】
主体部３の水平部４は、洗面器Ｓの奥側（図１の図（Ａ）では上側、図２では左側）が直角方向に折り曲げられてカウンター２への取付基部７となっている。該取付基部７は、その端部にカウンター２の上面へ載置される円板状の台座（図示せず）が溶接固定されており、台座に対してカウンター２の下面側からボルトが締結され、台座をカウンター２の上面へ固定するようにしている。そして、台座を化粧カバー８で隠蔽している。
また図２に示すように、水平部４のジョイント部５に近い下方側には、取付支柱９が連結されている。取付支柱９の水平部４との連結は、取付支柱９の上端開口部に、ナットをカシメて固定し、該ナットに対して水平部４の上面側に設けた作業孔からボルトを螺子込んで締結している。そして、前記締結部を化粧カバー１０で隠蔽し、水平部４の上面側に設けた作業孔を化粧キャップ１１で隠蔽している。一方、取付支柱９の下端側は、前記水平部４の取付基部７をカウンター２へ取り付ける場合と同じ構造でカウンター２へ締結されている。
【００２１】
水平部４とベンド部６とを接続するジョイント部５は、図３に示す通りである。すなわち、水平部４の端部に二股片１２，１２を有するナット１３を内嵌してカシメ、ベンド部６の端部に前記二股片１２，１２間に嵌合装着される突出片１４を備えたナット１５を内嵌してカシメている。これらの二股片１２，１２と突出片１４とには、ネジ孔１６，１７が設けられている。突出片１４を二股片１２，１２の間へ嵌合装着して各ネジ孔が一直線上に揃うようにし、この状態でボルト１８を各ネジ孔へ螺子込んで連結している。そして、筒上の化粧カバー１９をスライドさせて該締結部を隠蔽し、ビス２０で水平部４及びベンド部６へ固定している。従って、水平部４とベンド部６との接続は、化粧カバー１９をスライドさせてボルト１８を取り外すことにより、任意に脱着することが可能である。
【００２２】
このように、主体部３，３の水平部４とベンド部６とを脱着自在とすることにより、ベンド部６の形状及び水平部４との連結部分の長さ寸法等を変更することにより、手摺り１を各人の身体の大きさ等に合わせて使い勝手のよいものへ変更することが可能である。また両者の連結は、二股片１２，１２と突出片１４とをボルト１８で締結しており、ジョイント部５に加わる引っ張り荷重、曲げ荷重に対して十分な強度を発揮することができ可能である。つまり、手摺り１としての安全な使用を保証する。
【００２３】
一方、手摺り１は、洗面器Ｓの手前側へ伸びて下方へ折れ曲がった下端部分に、ジョイント部５を介してサポート部２１が脱着自在に取り付けられている。サポート部２１は、全体がコ字状を成し、洗面器Ｓの手前側で左右のベンド部６，６間に跨がって配設され、前記したジョイント部５構造（図３参照）によって連結されている。サポート部２１は、ベンド部６に連結される起立部２２と、起立部２２どうしを結ぶ直線部２３とを有している。従って、サポート部２１は、洗面器Ｓの手前側にあって、その左側から右側までの幅広い領域に存在する。
なお、図１の図（Ｂ）において、符号２４は洗面器Ｓの前面部に脱着自在に取り付けられた前板、２５は前板２４の下端面と床面との間に形成される車椅子の足を載置するフットレスト部分を挿入することのできる空間である。
【００２４】
而して、このように構成された手摺り１の使用態様を、車椅子使用者が洗面器Ｓを使用する場合に基づいて説明する。使用者は、車椅子の足を載せるフットレストの一部分を空間２５内へ差し入れて洗面器Ｓへ近づいた状態で車椅子をロックする。この状態から手摺り１のベンド６，６を把持して立ち上がり、サポート部２１に身体の下腹部から中腹部にかけた部分をもたれかけて体重をあずける。サポート部２１は洗面器Ｓの左右幅一杯に設けられているので、身体をあずけたときに無理なく支持させれるように身体の向きや直線部２２に載せる位置を微調節することができる。これにより、使用者は安定した身体のサポートが行われ、両手が自由となり、フリーな状態で洗面動作を行うことができる。当然のことながら、水洗器具２６等の操作も確実に行うことが可能である。洗面が終了した後は、手摺り１のベンド部６，６を把持してゆっくり身体を車椅子へ戻せばよい。
【００２５】
ところで、本発明は上述した実施の形態に限定されるものではなく、適宜の変更が可能である。例えば、手摺り主体部３，３の水平部４とベンド部６とを接続するジョイント部５は、両者間の接続部分の寸法を調節できるようにすることで、サポート部２１が洗面器Ｓの前面から離れる寸法を可変とすることも可能である。ジョイント部５の寸法調節は、二股片１２，１２と、突出片１７の長さ寸法を大きくし、ネジ孔を多数設けて、その選択により、寸法が可変できるようにするか、中間接続部材を配置し、該中間接続部材の寸法を変更することで可変とすることも可能である。またベンド部６の水平部４との接続部分の長さを変更することでも、サポート部２１の洗面器前面からの離れ寸法を変更するようにすることが可能である。更に、サポート部２１の洗面器前面からの離れ寸法を変更する必要のない場合は、水平部５とベンド部６とは一体的に構成されていてもよい。
この構成は、サポート部２１とベンド部６との間のジョイント部５も同じである。この場合は、サポート部２１の高さ寸法が調節されることになる。
【００２６】
更に、サポート部２１の形状は、直線状に限られず、中央が上方又は下方、或いは斜めに湾曲したり、洗面器Ｓ側又は手前側へ向けて湾曲したり、二こぶ状にしたりする等の色々な形状が適用可能であり、身体の不自由な使用者にとって身体をあずけ易いようなものであればよい。
【図面の簡単な説明】
【００２７】
【図１】本発明の一実施の形態に係るものであり、図（Ａ）は手摺りを洗面器へ取り付けた状態を示す平面図、図（Ｂ）は同正面図である。
【図２】本発明の一実施の形態に係るものであり、手摺りを洗面器へ取り付けた状態を示す側面図である。
【図３】本発明の一実施の形態に係るものであり、ジョイント部を示す断面図である。
【符号の説明】
【００２８】
１…手摺り、２…カウンター、３…主体部、４…直線部、５…ジョイント部、６…ベン  ド部、１２…二股片、１３…ナット、１４…突出片、１５…ナット、１６，１７…ネジ  孔、１８…ボルト、１９…化粧カバー、２０…ビス、２１…サポート部、２２…起立部  、２３…直線部
【図１】
2005253564.tif 000003
【図２】
2005253564.tif 000004
【図３】
2005253564.tif 000005